(57)【要約】【課題】体にかかる負担を軽減することができるクッションを提供する。【解決手段】クッション１は、例えば、椅子の表面に配置して使用するものであり、人の大腿部の少なくとも一部から背中の少なくとも一部を支持する支持体１０を備えている。支持体１０の表面には、大腿部の少なくとも一部から背中の少なくとも一部まで対応するように伸長された２条の凹状溝１１が形成されている。大腿部及び臀部は２条の凹状溝１１に対応して支持され、脊柱及び脊柱起立筋は凹状溝１１の間の凸条部１２に対応して支持される。【選択図】図３
2014158571.tif 000002
【特許請求の範囲】
【請求項１】
大腿部の少なくとも一部から骨盤を経由し背中の少なくとも一部を支持する支持体を備え、
前記支持体は、大腿部の少なくとも一部から背中の少なくとも一部まで対応するように連続して形成されており、
前記支持体には、大腿部に対応し、かつ、背骨を間に挟むように伸長された２状の凹状溝が、大腿部の少なくとも一部から背中の少なくとも一部まで形成された
ことを特徴とするクッション。
【請求項２】
少なくとも背中の一部を支持する支持体を備え、
前記支持体には、背骨を間に挟むように２条の凹状溝が伸長して形成された
ことを特徴とするクッション。
【請求項３】
前記２条の凹状溝の幅は、それぞれ６ｃｍ以上１４ｃｍ以下であり、
前記２条の凹状溝の間隔は、６ｃｍ以上１４ｃｍ以下であり、
前記２条の凹状溝の深さは、それぞれ１ｃｍ以上５ｃｍ以下である
ことを特徴とする請求項１又は請求項２記載のクッション。
【請求項４】
前記支持体は、
前記２条の凹状溝が形成された緩衝部と、
この緩衝部に配設され、前記緩衝部よりも硬い材料により構成された基材部と
を備えたことを特徴とする請求項１から請求項３のいずれか１に記載のクッション。
【発明の詳細な説明】
【技術分野】
【０００１】
本発明は、着座時等に体にかかる負担を軽減するクッションに関する。
【背景技術】
【０００２】
椅子に長い時間座っていると、臀部や背中が痛くなるので、体にかかる負担を軽減するために、座面等にクッションを組み込んだ椅子が多く用いられている。また、椅子の上に、好みに応じて、椅子とは別のクッションを敷いて座ることもある。例えば、特許文献１には、アンカー材と、その上に一体化されて位置する緩衝材とからなる着座姿勢保持用のクッションが記載されている。このクッションは、大腿部下に位置するアンカー材の厚みよりも、坐骨下に位置するアンカー材の厚みが薄く構成され、また、アンカー材の坐骨下に位置する部分に開口部が形成され、大腿部の下に位置する部分に大腿部を保持する１条もしくは２条の凹状溝が形成されている。
【先行技術文献】
【特許文献】
【０００３】
【特許文献１】特開２０１２−２９９９８号公報
【発明の概要】
【発明が解決しようとする課題】
【０００４】
しかしながら、特許文献１に記載のクッションは、大腿部及び臀部を支持するのみであり、背中は考慮されていないので、上半身にかかる負担を軽減することができない。
【０００５】
本発明は、このような問題に基づきなされたものであり、少なくとも背中の一部を支持し、体にかかる負担をより軽減することができるクッションを提供することを目的とする。
【課題を解決するための手段】
【０００６】
本発明の第１のクッションは、大腿部の少なくとも一部から骨盤を経由し背中の少なくとも一部を支持する支持体を備え、支持体は、大腿部の少なくとも一部から背中の少なくとも一部まで対応するように連続して形成されており、支持体には、大腿部に対応し、かつ、背骨を間に挟むように伸長された２状の凹状溝が、大腿部の少なくとも一部から背中の少なくとも一部まで形成されたものである。
【０００７】
本発明の第２のクッションは、少なくとも背中の一部を支持する支持体を備え、支持体には、背骨を間に挟むように２条の凹状溝が伸長して形成されたものである。
【発明の効果】
【０００８】
本発明の第１及び第２のクッションによれば、支持体に、背骨を間に挟むように２条の凹状溝を形成するようにしたので、２条の凹状溝の間の凸条部により脊柱（背骨）及び脊柱起立筋を支持することができる。よって、脊柱及び脊柱起立筋を厚く保護することにより体圧を分散させることができ、体にかかる負担を軽減することができる。
【０００９】
また、本発明の第１のクッションによれば、大腿部の少なくとも一部から背中の少なくとも一部まで連続して支持体を形成するようにしたので、椅子等と臀部の隙間を少なくして骨盤を支持することができ、殿裂筋を緩ませ、股関節可動域を広げることができる。更に、支持体に、大腿部に対応して、大腿部の少なくとも一部から背中の少なくとも一部まで伸長された２条の凹状溝を形成するようにしたので、２条の凹状溝により大腿後部に沿って大腿部を支持することができ、股関節の内転及び外転を抑制することができる。加えて、２条の凹状溝により尾骨及び仙骨下部を支えることができるので、座位保持としても安定させることができる。更にまた、２条の凹状溝により臀部及び大腿後部を支えるので、支える面積を広くして体圧を分散させることができ、体にかかる負担を軽減することができる。
【図面の簡単な説明】
【００１０】
【図１】本発明の第１の実施の形態に係るクッションを表面側から見た構成を表す図である。
【図２】図１に示したクッションを側部側から見た構成を表す図である。
【図３】図１に示したＩ−Ｉ線に沿った端面図を表す図である。
【図４】図１に示したクッションの使用例を説明する概念図である。
【図５】本発明の第２の実施の形態に係るクッションを表面側から見た構成を表す図である。
【発明を実施するための形態】
【００１１】
以下、本発明の実施の形態について図面を参照して詳細に説明する。
【００１２】
（第１の実施の形態）
図１は、本発明の第１の実施の形態に係るクッション１を一面側から見た構成を表すものである。図２は、図１に示したクッション１を側部側から見た構成を表すものである。図３は、図１に示したＩ−Ｉ線に沿った端面構造を表すものである。図４は、図１に示したクッション１を椅子Ｍの表面に配置して使用する使用例を表す概念図である。このクッション１は、例えば、椅子Ｍの表面に配置して使用するものであり、人の大腿部の少なくとも一部から骨盤を経由し背中の少なくとも一部を支持する支持体１０を備えている。
【００１３】
支持体１０は、大腿部の少なくとも一部から背中の少なくとも一部まで対応するように連続して形成されている。支持体１０は、例えば、矩形状であり、表面に、大腿部の少なくとも一部から背中の少なくとも一部まで伸長して形成された２条の凹状溝１１を有している。２条の凹状溝１１は、大腿部の側においては大腿部にそれぞれ対応し、背中の側においては背骨を間に挟むように伸長して形成されている。
【００１４】
支持体１０の長さＬ１は、例えば、７０ｃｍ以上１４０ｃｍ以下であることが好ましい。支持体１０の長さＬ１は、大腿部の少なくとも一部から背中の一部までを支持するのか、大腿部の少なくとも一部から背中全体まで、すなわち肩までを支持するのか、更には、大腿部の少なくとも一部から頭部までを支持するのかにより、選択される。支持体１０の幅Ｗ１は、３０ｃｍ以上６０ｃｍ以下であることが好ましく、３５ｃｍ以上５０ｃｍ以下であればより好ましい。あまり狭いと体を十分に支持することができず、あまり広いと取扱いが不便となるからである。支持体１０の厚みＴは、例えば、２ｃｍ以上８ｃｍ以下であることが好ましく、３ｃｍ以上７ｃｍ以下であればより好ましい。あまり薄いと体の負担を軽減する効果が小さく、あまり厚いと取扱いが不便となるからである。
【００１５】
支持体１０の表面に形成された２条の凹状溝１１の幅Ｗ２は、それぞれ、６ｃｍ以上１４ｃｍ以下であることが好ましく、７ｃｍ以上１３ｃｍ以下、更には８ｃｍ以上１２ｃｍ以下の範囲内であればより好ましい。２条の凹状溝１１の間隔、すなわち２条の凹状溝の間の凸条部１２の幅Ｗ３は、６ｃｍ以上１４ｃｍ以下であることが好ましく、７ｃｍ以上１３ｃｍ以下、更には８ｃｍ以上１２ｃｍ以下の範囲内であればより好ましい。これらの範囲内において大腿部及び臀部に２条の凹状溝１１を対応させることができ、脊柱（背骨）及び脊柱起立筋に２条の凹状溝１１の間の凸条部１２を対応させることができるからである。
【００１６】
２条の凹状溝１１は、支持体１０の長さ方向に沿って全体に設けられていてもよいが、一部に設けられていてもよい。２条の凹状溝１１の長さＬ２は、それぞれ、７０ｃｍ以上１４０ｃｍ以下であることが好ましく、７０ｃｍ以上１００ｃｍ以下であればより好ましい。大腿部から背骨に対応する部分に設けるためである。２条の凹状溝１１の深さＨは、それぞれ、１ｃｍ以上５ｃｍ以下であることが好ましく、１．５ｃｍ以上４ｃｍ以下であればより好ましい。これらの範囲内において高い効果を得ることができるからである。
【００１７】
凹状溝１１の長さ方向に対して垂直方向の形状は、例えば、四角形でもよいが、円弧状、又は、四角形の下側の２つの角部を丸めた形状、又は、底部に平面部を有し、平面部と上端部とを円弧で結んだ形状が好ましい。大腿部及び臀部に自然に合わせることができるからである。
【００１８】
また、支持体１０は、例えば、２条の凹状溝１１が表面に設けられた緩衝部１３と、この緩衝部１３の裏面側に設けられた基材部１４とを備えていることが好ましく、これらを接合することにより構成されていることが好ましい。緩衝部１３は、例えば、発泡ウレタン、ラテックス、又は、ジェルにより構成されることが好ましい。なお、ラテックスは、天然ゴムのラテックスでも合成ゴムのラテックスでもよい。緩衝部１３の厚みは、例えば、１．５ｃｍ以上７．５ｃｍ以下であることが好ましく、２．５ｃｍ以上６．５ｃｍ以下であればより好ましい。
【００１９】
基材部１４は、緩衝部１３を支える基礎となるものであり、緩衝部１３よりも硬い材料により構成されることが好ましい。基材部１４を構成する材料としては、例えば、合成ラテックスなどが挙げられる。基材部１４の厚みは、例えば、０．５ｃｍ以上２．５ｃｍ以下であることが好ましく、０．５ｃｍ以上２ｃｍ以下であればより好ましい。
【００２０】
このクッション１は、例えば、図４に示したように、椅子Ｍの座面Ｍ１及び背面Ｍ２に沿って配置して用いる。クッション１の上から椅子Ｍに座った人は、クッション１により大腿部の少なくとも一部から骨盤を経由し背中の少なくとも一部までが支持される。その際、大腿部及び臀部は２条の凹状溝１１により支持され、脊柱及び脊柱起立筋は２条の凹状溝１１の間の凸条部１２により支持される。
【００２１】
なお、図４では、２条の凹状溝１１が形成されている面、例えば、緩衝部１３の側を人が接する側とし、反対側の面、例えば、基材部１４の側を椅子Ｍに接する側として、クッション１を配置する場合について示したが、２条の凹状溝１１が形成されている面を椅子Ｍに接する側、反対側の面を人が接する側として配置してもよい。２条の凹状溝１１が形成されている面を人が接する側とすれば、２条の凹状溝１１及びその間の凸条部１２が大腿部及び脊柱に直接的に作用し、２条の凹状溝１１が形成されている面を椅子Ｍに接する側とすれば、人が座ることにより凹状溝１１の空洞が押しつぶされて大腿部及び脊柱に間接的に作用するので、好みに応じて使い分けることができる。
【００２２】
このように本実施の形態によれば、支持体１０に、背骨を間に挟むように２条の凹状溝１１を形成するようにしたので、２条の凹状溝１１の間の凸条部１２により脊柱及び脊柱起立筋を支持することができる。よって、脊柱及び脊柱起立筋を厚く保護することにより体圧を分散させることができ、体にかかる負担を軽減することができる。また、大腿部の少なくとも一部から背中の少なくとも一部まで連続して支持体１０を形成するようにしたので、椅子Ｍ等と臀部の隙間を少なくして骨盤を支持することができ、殿裂筋を緩ませ、股関節可動域を広げることができる。
【００２３】
更に、支持体１０に、大腿部に対応して、大腿部の少なくとも一部から背中の少なくとも一部まで伸長された２条の凹状溝１１を形成するようにしたので、２条の凹状溝１１により大腿後部に沿って大腿部を支持することができ、股関節の内転及び外転を抑制することができる。加えて、２条の凹状溝１１により尾骨及び仙骨下部を支えることができるので、座位保持としても安定させることができる。更にまた、２条の凹状溝１１により臀部及び大腿後部を支えるので、支える面積を広くして体圧を分散させることができ、体にかかる負担を軽減することができる。
【００２４】
（第２の実施の形態）
図５は、本発明の第２の実施の形態に係るクッション２を一面側から見た構成を表すものである。第１の実施の形態では、支持体１０が大腿部の少なくとも一部から骨盤を経由し背中の少なくとも一部を支持する場合について説明したが、支持体１０の長さＬ１を短く、例えば、７０ｃｍよりも短くし、少なくとも背中の一部を支持するようにしてもよい。他は、第１の実施の形態のクッション１と同様の構成を有している。なお、第１の実施の形態と対応する構成要素には同一の符号を付して示している。このクッション２は、椅子Ｍの背もたれ部分に配置し、背中と椅子Ｍの間に挟み、２条の凹状溝１１の間の凸条部１２を脊柱及び脊柱起立筋に対応させて使用する。このように構成しても、第１の実施の形態と同様に、脊柱及び脊柱起立筋を厚く保護することができ、体にかかる負担を軽減することができる。
【００２５】
以上、実施の形態を挙げて本発明を説明したが、本発明は上記実施の形態に限定されるものではなく、種々変形可能である。例えば、上記実施の形態では、支持体１０について具体的に説明したが、支持体１０を覆うカバーを備えていてもよい。また、上記実施の形態では、クッション１を椅子の表面に配置して使用する場合について説明したが、椅子の中にクッション１を組み込んで椅子を構成するようにしてもよい。更に、上記実施の形態では、支持体１０が緩衝部１３と支持部１４とを備える場合について説明したが、他の層を備えていてもよい。加えて、上記実施の形態では、各構成要素について具体的に説明したが、全ての構成要素を備えていなくてもよく、また、他の構成要素を備えていてもよい。
【符号の説明】
【００２６】
１，２…クッション、１０…支持体、１１…凹状溝、１２…凸状部、１３…緩衝部、１４…基材部、Ｌ１…支持体の長さ、Ｌ２…凹状溝の長さ、Ｗ１…支持体の幅、Ｗ２…凹状溝の幅、Ｗ３…凸条部の幅、Ｔ…支持体の厚み、Ｈ…凹状溝の深さ
【図１】
2014158571.tif 000003
【図２】
2014158571.tif 000004
【図３】
2014158571.tif 000005
【図４】
2014158571.tif 000006
【図５】
2014158571.tif 000007